(57)【要約】【課題】左右一対のブラケットに棚板を架設してなるショーケースにおいて、ブラケットの取付作業性を改善する。【解決手段】左右一対のブラケット３１、３１に棚板３４を架設してなるショーケース１において、左右のブラケット３１、３１間に渡って連結部材３０を溶接固定し、両ブラケット３１、３１を一体化する。或いは、上記ショーケース１において、左右のブラケット３１、３１を連結部６０を介して一体に構成する。また、連結部材３０、又は、連結部６０に鏡（鏡面）８０を設ける。【選択図】図４
2010068988.tif 000002
【特許請求の範囲】
【請求項１】
左右一対のブラケットに棚板を架設してなるショーケースにおいて、
前記左右のブラケット間に渡って連結部材を溶接固定し、両ブラケットを一体化したことを特徴とするショーケースの棚装置。
【請求項２】
左右一対のブラケットに棚板を架設してなるショーケースにおいて、
前記左右のブラケットは連結部を介して一体に構成されていることを特徴とするショーケースの棚装置。
【請求項３】
前記連結部材、又は、連結部には鏡を設けたことを特徴とする請求項１又は請求項２に記載の棚装置。
【発明の詳細な説明】
【技術分野】
【０００１】
本発明は、ショーケースの庫内に架設された棚板を具備するショーケースの棚装置に関するものである。
【背景技術】
【０００２】
従来よりこの種ショーケースは、前面に開口した断面略コ字状の断熱箱体内に陳列室（貯蔵室）が構成されている。この陳列室内には、商品陳列用の棚が複数段架設されている。これらの棚は、左右一対のブラケットにそれぞれ形成された爪と支柱の係合孔との係脱によって上下方向に移動可能とされている。
【０００３】
具体的に、支柱は、陳列室内に取り付けられると共に、上下に所定間隔で複数の係合孔が穿設されている。そして、各ブラケットは、爪を支柱の係合孔にそれぞれ挿入係合させることにより、着脱自在に支柱に保持されていた（例えば、特許文献１参照）。
【特許文献１】特開２００７−２５２６１４号公報
【発明の開示】
【発明が解決しようとする課題】
【０００４】
しかしながら、上記の如く左右のブラケットをそれぞれ支柱の係合孔に係合する場合、左右のラケットの高さ位置が異なって、棚が傾いてしまう場合がある。これを図面を用いて説明する。
【０００５】
図７は従来の棚装置を示す図である。図７に示す従来の棚装置では、左右のブラケット３１、３１が、一体化されておらず別々に構成されていた。この場合、当該ブラケット３１、３１を支柱２５に取り付けるには、一方のブラケット３１の上爪部２６と下爪部２７を一方の支柱２５の所望の高さの係合孔２４・・に挿入し係合した後、他方のブラケット３１の上爪部２６と下爪部２７を他方の支柱２５の所望の高さの係合孔２４・・に挿入し、係合しなければならなかった。
【０００６】
しかしながら、左右のブラケット３１、３１が離れているため、左右で異なる高さの位置の係合孔２４・・に上下爪部２６、２７を係合してしまうブラケット３１、３１の取付ミスが生じやすかった。特に、左右のブラケット３１、３１が離れていることで、それぞれを支柱２５、２５に取り付けた状態では、作業者が左右ブラケット３１、３１の取付位置が異なることに気づき難く、ブラケット３１、３１上に棚板３４を架設した状態で（即ち、棚板３４が傾くので）、高さが異なることに気づくことが多かった。
【０００７】
本発明は、係る従来の技術的課題を解決するために成されたものであり、左右一対のブラケットに棚板を架設してなるショーケースにおいて、ブラケットの取付作業性を改善することを目的とする。
【課題を解決するための手段】
【０００８】
請求項１の発明の棚装置は、左右一対のブラケットに棚板を架設してなるショーケースにおいて、左右のブラケット間に渡って連結部材を溶接固定し、両ブラケットを一体化したことを特徴とする。
【０００９】
請求項２の発明の棚装置は、左右一対のブラケットに棚板を架設してなるショーケースにおいて、左右のブラケットは連結部を介して一体に構成されていることを特徴とする。
【００１０】
請求項３の発明の棚装置は、請求項１又は請求項２の発明において、連結部材、又は、連結部には鏡を設けたことを特徴とする。
【発明の効果】
【００１１】
本発明によれば、棚板を架設するための左右一対のブラケットを、それらの間に渡って連結部材を溶接固定することで一体化し、或いは、左右のブラケットを、連結部を介して一体に構成されたものとしたので、ブラケットの取付作業性が著しく向上する。また、強度も向上するので、棚板上に商品を安定的に陳列することが可能となるものである。
【００１２】
また、請求項３の発明によれば、更に連結部材、又は、連結部に鏡を設けたので、当該ブラケット下方に陳列された商品を映し出し、奥方の商品も見易くすることが可能となると共に、照明効果も向上するので、陳列効果が一段と向上するものである。
【発明を実施するための最良の形態】
【００１３】
以下、図面に基づき本発明の実施形態を詳述する。
【実施例１】
【００１４】
図１は、本発明の棚装置を適用したショーケース１の斜視図、図２は図１のショーケース１の縦断側面図、図３は本発明を適用した一実施例の棚装置２０の斜視図、図４は図３の棚装置２０のブラケット３１の斜視図をそれぞれ示している。ショーケース１は、例えば、スーパーマーケットなどの店舗内に据え付けられる縦型のオープンショーケースであり、前面に開口する断面略コ字状の断熱壁２と、据え付け現場において断熱壁２の側面に取り付けられた断熱性の側板５、５とから構成されている。
【００１５】
ショーケース１の断熱壁２の内側には所定間隔を存して内壁４が取り付けられると共に、当該内壁４と断熱壁２との間にはそれぞれ間隔を存して、区画壁４０が取り付けられ、内壁４と区画壁４０間には、内層ダクト４１が形成されると共に、区画壁４０と断熱壁２間には外層ダクト４２が形成されている。内壁４を構成する背部内壁１０の下端前方には、底板９が断熱壁２の底壁２Ａとの間にダクト用の間隔を存して取り付けられており、これら内壁４及び底板９の内側を陳列室１１としている。
【００１６】
また、この陳列室１１内には、高さ及び取付角度が変更可能であると共に、陳列室１１内背部の支柱２５に取り付けられる一対のブラケット３１と、これらと共に棚装置２０を構成する棚板３２が複数段に渡って架設されている。棚板３２の前縁には、硬質合成樹脂により形成されるプライスレール３４が取り付けられており、当該プライスレール３４は、棚板３２の装飾体を兼用している。また、この棚板３２の前壁とプライスレール３４との間には、所定の間隔が形成されており、当該間隔には棚板３２上の商品が落下することを防止するためのガード３５が取り付けられる。また、各棚板３２の下面前部には、下方の棚板３２上に陳列される商品を照明するための照明灯３６が配設されている。
【００１７】
断熱壁２の前面開口１２の上縁にはハニカム材１３、１４がそれぞれ取り付けられた内層吹出口１６及び外層吹出口１７が並設されており、これら内層吹出口１６及び外層吹出口１７は、内層ダクト４１及び外層ダクト４２にそれぞれ連通している。尚、内層吹出口１６及び外層吹出口１７は、区画壁４０の前端において、仕切部材４５によって区画形成される。他方、開口１２の下縁には、内層吸込口１８と外層吸込口１９が並設されている。尚、内層吹出口１６の陳列室１１側の天面内壁８には、陳列室１１内を上方から照明するための照明灯３９が設けられている。
【００１８】
また、断熱壁２の天壁２Ｂ前端にはパネル３３が取り付けられており、このパネル３３の内方には、パネル３３の後方に位置して照明灯３７を取り付けるための照明灯反射板５０が取り付けられる。これにより、陳列室１１内は、上前方から照明灯３７にて照明される。また、断熱壁２の天壁２Ｂの前端には、下方に延出して前記外層吹出口１７の前側に位置して外層ダクト４２の前端を閉塞する吹出口外壁５２が取り付けられる。尚、この吹出口外壁５２は、下端が後側に折り返された図示しない係合部が形成されており、この係合部によって、外層吹出口１７に取り付けられるハニカム材１４の前端が支持される。そして、この吹出口外壁５２の上面には、断熱壁２の天壁２Ｂの前端に位置して巻き取り式のナイトカバー５１が収容される。
【００１９】
底板９下方後部には断熱壁２の底壁２Ａ上に内層ダクト４１及び外層ダクト４２のそれぞれに対応する図示しない送風機が複数台設置されている。そして、背部内壁１０後方の内層ダクト４１内には冷却装置の図示しない冷却器が縦設されている。この冷却器と共に冷凍サイクルを構成する図示しない圧縮機、凝縮器、凝縮器用送風機等は、ショーケース１とは別置きに例えば、店舗内の機械室などに設けられており、当該ショーケース１と圧縮機等とは、冷媒配管にて接続されているものとする。
【００２０】
一方、棚装置２０は、鋼板からなる左右一対のブラケット３１、３１と、これらブラケット３１、３１上に架設される棚板３２とから構成される。尚、３２Ａは、棚板３２の両側端からブラケット３１の外側に降下する棚板３２の側壁であり、ブラケット３１の上縁部分を隠蔽する機能を奏する。また、ブラケット３１、３１の後端には、後方に突出する鉤状の上爪部２６及び下爪部２７を有している。
【００２１】
他方、陳列室１１内の背部内壁１０の前面両側には、支柱２５が取り付けられており、この支柱２５には、上下に所定間隔で複数の係合孔２４・・が穿設されている。この係合孔２４・・には前記ブラケット３１、３１の後端に設けられた上下爪部２６、２７が挿入される。即ち、ブラケット３１、３１は上下爪部２６、２７を支柱２５の係合孔２４・・に挿入係合させることにより、着脱自在に支柱２５に保持される。
【００２２】
本発明の棚装置２０には、左右のブラケット３１、３１間に渡って連結部材３０が溶接固定されている。具体的に、前記一対のブラケット３１、３１の向かい合う内面側の後部には連結部材３０がそれらに渡って溶接固定されており、この連結部材３０によって両ブラケット３１、３１が一体化されている。
【００２３】
ここで、ブラケット３１、３１を支柱２５に取り付ける場合には、一体化された左右のブラケット３１、３１の上下爪部２６、２７を所望の高さの係合孔２４・・にそれぞれ挿入係合する。即ち、左右のブラケット３１、３１とが一体化されているので、両ブラケット３１、３１の上爪部２６、２６と下爪部２７、２７とを所望の高さの係合孔２４・・に同時に挿入係合することができる。
【００２４】
前述した如く図７に示すような従来の棚装置では、左右のブラケット３１、３１が、一体化されておらず別々に構成されていた左右で異なる高さの位置の係合孔２４・・に上下爪部２６、２７を係合してしまう取付ミスが生じやすかった。特に、左右のブラケット３１、３１が離れていることで、それぞれを支柱２５、２５に取り付けた状態では、作業者が左右ブラケット３１、３１の取付位置が異なることに気づき難く、ブラケット３１、３１上に棚板３４を架設した状態で（即ち、棚板３４が傾くので）、高さが異なることに気づくことが多い。
【００２５】
これに対して、本発明の棚装置２０は、連結部材３０によって両ブラケット３１、３１が一体化されているため、左右のブラケット３１、３１を一度に取り付けることができる。特に、左右ブラケット３１、３１の上爪部２６、２６、或いは、下爪部２７、２７を高さの異なる係合孔２４・・に挿入しようとすれば、全体が傾くため、係合孔２４・・に挿入することが出来ない。従って、左右のブラケット３１、３１が異なる高さの係合孔２４・・に挿入係合される不都合を確実に回避することができる。
【００２６】
これにより、ブラケット３１、３１の取付作業性が著しく向上する。更に、連結部材３１により、左右のブラケット３１、３１が連結されることで、強度も向上する。従って、当該ブラケット３１、３１上に架設される棚板３４をブラケット３１、３１により強固に支持することができるようになり、棚板３４上に商品を安定的に陳列することが可能となる。
【実施例２】
【００２７】
次に、図５は本発明の棚装置の他の実施例を示している。前記実施例では、左右のブラケット３１、３１間に渡って連結部材３０を溶接固定し、両ブラケット３１、３１を一体化していたが、この実施例では、左右のブラケット３１、３１が連結部６０を介して一体に構成されている。本実施例では一枚の鋼板を切削し、所定の形状に加工したものを折り曲げることで、両ブラケット３１、３１とこれらを連結する連結部６０とを一体的に形成している。
【００２８】
このように、両ブラケット３１、３１とこれらを連結する連結部６０とを一体的に形成した場合にも前記実施例同様の効果を得ることができる。
【００２９】
更にまた、本実施例のように両ブラケット３１、３１とこれらを連結する連結部６０とを一体的に形成することで、ブラケット３１、３１と連結部６０とを容易に加工することができる。即ち、一枚の鋼板７０を所定の形状に切削加工し、それを折り曲げるだけで、ブラケット３１、３１とこれらを連結する連結部６０とを形成できるので、前記実施例の如く別々に構成された各部材を溶接固定するなどの作業を省略でき、製造コストも抑えることができる。
【実施例３】
【００３０】
次に、図６は本発明の棚装置のもう一つの他の実施例を示している。本実施例では、前記実施例１の連結部材３０に鏡面（鏡）８０を備えている。この鏡面８０は、連結部材３０の前面下方に左右のブラケット３１、３１間に渡って形成されており、斜め下前方に指向している。このように連結部材３０に斜め下前方に指向した鏡面８０を設けることで、当該鏡面８０にブラケット３１、３１の下方の棚板３２に陳列された商品を映し出すことができる。これにより、棚板３２の奧に陳列された商品を鏡面８０に映し出して、奧方の商品を見易くすることが可能となる。
【００３１】
更に、ブラケット３１の下面前部には、下方の棚板３２上に陳列される商品を照明するための照明灯３６が設けられているため、下方の棚板３２には、上記照明灯３６から直接照射される光に加えて、商品の上部後方から鏡面８０に反射した照明灯３６の光を照射することができる。これにより、照明効果が向上し、商品の陳列効果が一段と向上する。
【００３２】
尚、本実施例では、左右のブラケット３１、３１に溶接固定されたの連結部材３０に鏡面８０を備えるものとしたが、実施例２のようにブラケット３１、３１に一体形成された連結部６０に鏡面８０を構成するものとしても良く、この場合にも同様の効果を得ることができる。
【図面の簡単な説明】
【００３３】
【図１】本発明の棚装置を適用したショーケースの斜視図である。
【図２】図１のショーケースの縦断側面図である。
【図３】本発明を適用した一実施例の棚装置の斜視図である（実施例１）。
【図４】図３の棚装置の棚板を外した状態を示す斜視図である。
【図５】本発明の他の実施例の棚装置の棚板を外した状態を示す斜視図である（実施例２）。
【図６】本発明のもう一つの他の実施例の棚装置の棚板を外した状態を示す斜視図である（実施例３）。
【図７】従来の棚装置の斜視図である。
【符号の説明】
【００３４】
１    ショーケース
２    断熱壁
２Ａ  底壁
２Ｂ  天壁
４    内壁
５    側板
８    天面内壁
９    底板
１０  背部内壁
１１  陳列室
１２  前面開口
１３、１４  ハニカム材
１６  内層吹出口
１７  外層吹出口
１８  内層吸込口
１９  外層吸込口
２０  棚装置
２４  係合孔
２５  支柱
２７  爪
３０  連結部材
３１  ブラケット
３２  棚板
３２Ａ  側壁
３３  パネル
３６、３７、３９  照明灯
４０  区画壁
４１  内層ダクト
４２  外層ダクト
４５  仕切部材
５０  照明灯反射板
５２  吹出口外壁
６０  連結部
７０  鋼板
８０  鏡面
【図１】
2010068988.tif 000003
【図２】
2010068988.tif 000004
【図３】
2010068988.tif 000005
【図４】
2010068988.tif 000006
【図５】
2010068988.tif 000007
【図６】
2010068988.tif 000008
【図７】
2010068988.tif 000009